(57)【要約】【課題】  ＪＩＳで規定される公差を指定して内筒と外筒とを個別に製作させ、内筒を外筒に支持させたとしてもガタが生じないレンズ鏡胴を提供する。【解決手段】  撮影レンズ１００のうち、第１群のレンズ１０１を保持する内筒１０３の外周面に第１のネジ１０３ａを設ける。さらにその内筒１０３を保持する外筒１０４の内周面に第２のネジ１０４ａを設ける。第１のネジ１０３ａと第２のネジ１０４ａとの間にテープを介在させ第１のネジと第２のネジを螺合させることにより内筒１０３を外筒１０４に保持させる。【選択図】  図２
2005275110.tif 000002
【特許請求の範囲】
【請求項１】
レンズを保持するレンズ鏡胴において、
前記レンズのうちの少なくとも一つのレンズを保持するとともに外周面に嵌合用の第１のネジが設けられた内筒と、
内周面に、前記内筒の外周面の第１のネジと嵌合する第２のネジが設けられ、該第１のネジと該第２のネジの螺合により前記内筒を保持する外筒とを備え、
前記第１ネジと前記第２のネジが、ネジによる嵌合のガタを防止するテープを介在させて螺合してなることを特徴とするレンズ鏡胴。
【発明の詳細な説明】
【技術分野】
【０００１】
本発明は、レンズを保持するレンズ鏡胴に関する。
【背景技術】
【０００２】
カメラはレンズ鏡胴を備えたものが多い。このレンズ鏡胴には撮影レンズが内蔵されており、撮影レンズをレンズ鏡胴に組み込むにあたって、撮影レンズが傾かないように、また撮影レンズが正確な位置に配置されるように、レンズの押さえ部材を含む取付部に厳しい寸法精度が要求される。
【０００３】
レンズの押さえ部材にあまり厳しい寸法精度を要求すると、レンズがきつく押さえられてしまって鏡胴部に温度変化があると押さえ部材の温度特性とレンズの温度特性の違いによりレンズが変形してしまう恐れがある。このため、寸法精度を若干緩めて、その緩めたことにより鏡胴内に生まれる僅かな隙間（クリアランス分）にスリーブを嵌挿して、温度特性の違いによる両者の変形度合いの差をそのスリーブに吸収させる技術が提案されている（例えば特許文献１参照）。
【０００４】
ところで、撮影レンズを内筒に保持させてから、その内筒をレンズ鏡胴の外筒に保持させる場合もある。この場合には内筒を外筒に保持させるにあたって、内筒と外筒とにそれぞれネジを設けて、内筒を外筒にねじ込んで固定することもある。このようなときにはネジの嵌合部に厳しい寸法精度が要求される。このため、内筒のネジと外筒のネジとを合わせ込みながらネジの嵌合が緊密になるように加工を行なう必要がある。しかしこのような精密な加工は製作コストの増大を招く。
【０００５】
この製作コストを低減するためには、外筒と外筒の内周面に設けるネジの寸法公差および内筒と内筒の外周面に設けるネジの寸法公差をＪＩＳに規定された公差で指定して、内筒と外筒とをそれぞれ個別に製作することが考えられる。しかしこのようにすると、ＪＩＳで規定された寸法公差分のがたが必ず生じてしまう。
【特許文献１】特開昭５８−１８２６０６号公報
【発明の開示】
【発明が解決しようとする課題】
【０００６】
本発明は、上記事情に鑑み、ＪＩＳで規定される公差を指定して内筒と外筒とを個別に製作してもガタが生じないレンズ鏡胴を提供することを目的とする。
【課題を解決するための手段】
【０００７】
上記目的を達成する本発明のレンズ鏡胴は、レンズを保持するレンズ鏡胴において、
上記レンズのうちの少なくとも一つのレンズを保持するとともに外周面に嵌合用の第１のネジが設けられた内筒と、
内周面に、上記内筒の外周面の第１のネジと嵌合する第２のネジが設けられ、その第１のネジとその第２のネジの螺合により上記内筒を保持する外筒とを備え、
上記第１ネジと上記第２のネジが、ネジによる嵌合のガタを防止するテープを介在させて螺合してなることを特徴とする。
【０００８】
上記本発明のレンズ鏡胴によれば、上記内筒の外周面の第１のネジとその第１のネジと嵌合する第２のネジとの双方をＪＩＳの公差によりそれぞれ別々に製作しても第１のネジと第２のネジとのネジの嵌合によるガタが第１のネジと第２のネジとの間に介在したテープにより抑制される。
【０００９】
いままでは外筒のネジと内筒のネジとの双方をそれぞれＪＩＳに規定された公差内で製作すると必ずガタが生じていたが、テープを介在させることにより、そのガタが防止される。
【発明の効果】
【００１０】
以上、説明したように、ＪＩＳで規定される公差を指定して内筒と外筒とを別々に製作してもガタが生じないレンズ鏡胴が実現される。
【発明を実施するための最良の形態】
【００１１】
以下図面を参照して本発明の実施の形態を説明する。
【００１２】
図１は本発明の一実施形態であるレンズ鏡胴を備えたカメラ１を示す図である。
【００１３】
図１に示すようにこのカメラ１は、撮影レンズ１００を保持するレンズ鏡胴１０を備えており、そのレンズ鏡胴１０の上方にはファインダ１１が設けられている。そのファインダ１１を覗きながら、シャッタチャンスにレリーズ釦１２が押されると、レンズ鏡胴１０に内蔵された撮影レンズ１００を経由して入射してきた被写体光を捉えることにより撮影が行なわれる。この撮影が行なわれるときに被写界輝度が足りない場合には、ファインダの横の閃光発光窓１３から閃光が発光されて撮影が行なわれる。
【００１４】
図２は図１のレンズ鏡胴１０内部の構成を示す図である。
【００１５】
図２に示すレンズ鏡胴１０内には複数のレンズ群が配備されている。図２にはレンズ鏡胴先端側の部分の第１レンズ群１０１、第２レンズ群１０２のみが示されている。
【００１６】
この第１レンズ群１０１が鏡胴１０先端側の外筒１０３に保持され、第２レンズ群１０２が鏡胴中央部の取付部１０５に保持されている。
【００１７】
図２に示す内筒１０４の外周面には、嵌合用の第１のネジ１０４ａが設けられており、外筒１０３の内周面にはこの第１のネジ１０４ａと嵌合する第２のネジ１０３ａが設けられている。
【００１８】
このカメラでは内筒１１０を外筒１１１に保持させるにあたって、外筒１１１の内周面に設けた第２のネジ１１１ａと内筒１１０の外周面に設けた第１のネジ１１０ａとのガタを防止するテープが第１のネジに巻きつけられた後、第１のネジを第２のネジに螺合させることにより内筒１１０を外筒１１１に保持させている。したがって第１のネジ１１０ａと第２のネジ１１１ａとがそれぞれＪＩＳの公差で製作されてもその公差分のガタがテープにより吸収されて好適な嵌合が得られる。
【００１９】
図２の上方にはそのガタ防止用のテープ２００の状態が分かるように、第１のネジ１０４ａと第２のネジ１０３ａの嵌合部を拡大して模式的に示した図が示されている。図２の拡大図に示すように、第１のネジ１０４ａと第２のネジ１０３ａとの嵌合によるガタが防止されるようにテープ２００を介在させて螺合させておくと、第１のネジ１０４ａと第２のネジ１０３ａとの間にテープ２００が充填された格好になって内筒１０４と外筒１０３とがガタなく嵌合する。図２にはテープ２００を介在させたことが分かるように第１のネジ１０４ａと第２のネジ１０３ａとの嵌合部すべてにわたってテープ２００が充填されたように示されているが、実際には、第１のネジ１０４ａと第２のネジ１０３ａとの嵌合によるガタを生じさせる部分にだけテープが入り込み充填される。
【００２０】
ここで用いるテープとしては例えばテフロン（登録商標）などを材料としたものが良く、このテフロン（登録商標）を材料としたテープは良好な機械的強度を持つものが多い。このため内筒１０４の第１のネジ１０４ａにテープを巻きつけておき、外筒１０３の第２のネジ１０３ａにそのテープを螺合させるために内筒１０４を外筒１０３に対して螺進させる場合にあってはそのテープが切れることなくそのテープが双方のネジになじむように入り込んで第１のネジと第２のネジとの双方の嵌合によるガタを発生させないように働く。またこのテフロン（登録商標）テープ２００は、良好な温度特性を持つものも多く、テープに加えて外筒１０３と内筒１０４とも双方良好な温度特性を持つものであるとすると、螺合させた後にあっては第１のネジ１０４ａと第２のネジ１０３ａとの嵌合によるガタの部分にテープが充填されたことによりガタが防止された後、このカメラの使用中に鏡胴部の温度が変化したとしても第１のネジ１０４ａと第２のネジ１０３ａとの嵌合が精度良く保たれる。
【００２１】
以上説明したように、内筒と外筒を別々に製作して第１のネジと第２のネジとの嵌合によるガタが生じたとしても第１のネジと第２のネジとの間に介在させたテープによりそのガタが吸収される。
【００２２】
尚、ここではカメラを取り上げて、そのカメラに備えられたレンズ鏡胴について説明したが、本発明のレンズ鏡胴はカメラにのみ適用されるものではなく、望遠鏡や双眼鏡、あるいはレンズ鏡胴を備える光学機器に広く適用可能である。
【図面の簡単な説明】
【００２３】
【図１】本発明の一実施形態であるカメラの外観を示す図である。
【図２】図１のレンズ鏡胴内部の構成を示す図である。
【符号の説明】
【００２４】
１    レンズ
１０    レンズ鏡胴
１００    撮影レンズ
１０１    第１レンズ群
１０２    第２レンズ群
１０３    外筒
１０３ａ    第２のネジ
１０４    内筒
１０４ａ    第１のネジ
１０５    第２レンズ群の取付部
１１    ファインダ
１２    レリーズ釦
１３    閃光発光窓
【図１】
2005275110.tif 000003
【図２】
2005275110.tif 000004